【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
物体識別システム（４００）であって、
テレストリアル媒体（２０３、４１０）の上方にある帯電端子を含む誘導表面導波プローブ（Ｐ）であって、前記帯電端子は少なくとも１つの結果として生じる電界を生成することによって損失性導電媒体の表面に沿った電磁誘導表面波を生成し、前記少なくとも１つの結果として生じる電界は前記損失性導電媒体の複素ブルースター入射角（θｉ，Ｂ）で入射する波面を合成し、前記電磁誘導表面波からそれぞれのタグが物体（４０４）に関連付けられた物体識別タグ（４０２）が動作するための電力を得る、前記誘導表面導波プローブ（Ｐ）と、
前記物体のライフサイクルの間に前記タグが前記関連付けられた物体と共に移動するときに、前記タグのうちの１つ以上からの帰還信号を受信するように戦略的位置に配置された複数の受信器（４０８）と、
を備えることを特徴とするシステム。
【請求項２】
前記電磁誘導表面波は、タグに電力を供給するために十分なエネルギが存在する照射エリア（４２６）を有し、前記照射エリアのサイズは、前記タグが前記物体の前記ライフサイクルの少なくとも一部の間存在することが予期される領域に対応することを特徴とする請求項１に記載のシステム。
【請求項３】
前記電磁誘導表面波は、地球全体にわたって配置された前記タグを照射するための、周波数及び十分なエネルギ密度で生成されることを特徴とする請求項１に記載のシステム。
【請求項４】
前記受信器は、商取引において移動する物体を追跡するように製品供給経路に沿って配置されることを特徴とする請求項１乃至３のいずれか一項に記載のシステム。
【請求項５】
前記システムは、前記受信器による前記タグからの前記帰還信号の検出に関連付けられたデータをデータベース（４５０）にログ記録するコンピュータシステム（４１８）を更に備えることを特徴とする請求項４に記載のシステム。
【請求項６】
前記システムは、前記受信器によって受信された前記タグからの帰還信号に従って前記タグの地理的位置を識別する、コンピュータシステムを更に備えることを特徴とする請求項１乃至５のいずれか一項に記載のシステム。 
【請求項７】
少なくとも１つのタグに対する地理的位置は、２つの受信器で受信された対応する帰還信号を使用して三角測量により判定されることを特徴とする請求項６に記載のシステム。
【請求項８】
タグからの帰還信号を受信する少なくとも１つの受信器の地理的位置は、前記タグの位置の代用物として機能することを特徴とする請求項６に記載のシステム。  
【請求項９】
前記物体識別タグが動作するための電力を得るための十分なエネルギ密度が存在する前記電磁誘導表面波に対する照射エリアの形状は、前記誘導表面導波プローブ（Ｐ）が前記電磁誘導表面波を送出する方向の関数として前記誘導表面導波プローブ（Ｐ）によって出力される前記電磁誘導表面波を変化させることにより制御されることを特徴とする請求項１乃至８のいずれか一項に記載のシステム。
【請求項１０】
前記タグは、アドレス指定可能であり、前記電磁誘導表面波は、前記タグのうちの少なくとも１つに対してアドレス指定されたメッセージを含むことを特徴とする請求項１乃至９のいずれか一項に記載のシステム。
【請求項１１】
前記タグは、アドレス指定可能であり、前記受信器は、前記タグのうちの少なくとも１つに対してアドレス指定されたメッセージを送信するように構成されることを特徴とする請求項１乃至１０のいずれか一項に記載のシステム。
【請求項１２】
前記メッセージは、アドレス指定されたタグによって記憶されたデータに対する照会であることを特徴とする請求項１０または１１に記載のシステム。 
【請求項１３】
前記メッセージは、アドレス指定されたタグによって記憶されることになるデータを含むことを特徴とする請求項１０または１１に記載のシステム。 
【請求項１４】
前記データは、前記アドレス指定されたタグの履歴に関連付けられた少なくとも１つの事象に対応することを特徴とする請求項１３に記載のシステム。 
【請求項１５】
前記データは、前記アドレス指定されたタグの少なくとも１つの検出された位置に対応することを特徴とする請求項１３に記載のシステム。 
【請求項１６】
前記メッセージは、アドレス指定されたタグが少なくとも一定期間、帰還信号を送信しないこととするコマンドであることを特徴とする請求項１０または１１に記載のシステム。
【請求項１７】
前記電磁誘導表面波は、第１の周波数で前記タグを照射し、前記タグの少なくとも第１のセットは、前記第１の周波数とは名目上異なる第２の周波数で帰還信号を放出することを特徴とする請求項１乃至１６のいずれか一項に記載のシステム。
【請求項１８】
前記タグの少なくとも第２のセットは、前記第１及び第２の周波数とは名目上異なる第３の周波数で帰還信号を放出することを特徴とする請求項１７に記載のシステム。
【請求項１９】
前記プローブは、別の電磁誘導表面波が存在する環境で動作し、前記別の電磁誘導表面波は、前記第１の周波数とは名目上異なる周波数を有し、タグの前記第１のセットは、前記別の電磁誘導表面波の前記周波数に応答しないことを特徴とする請求項１７に記載のシステム。
【請求項２０】
前記電磁誘導表面波の前記生成は、一定期間にわたって連続的であることを特徴とする請求項１乃至１９のいずれか一項に記載のシステム。
【請求項２１】
前記期間の間、それぞれのタグは、それぞれの帰還信号のインスタンスの間の遅延なしに、又はわずかな遅延で、前記帰還信号の放出を繰り返すことを特徴とする請求項２０に記載のシステム。
【請求項２２】
前記システムは、コンピュータシステム（４１８）を更に備え、前記コンピュータシステムは、前記受信器によって受信された前記タグからの帰還信号に従って前記タグに関連する事象を追跡してデータベースにログ記録することを特徴とする請求項１乃至２１のいずれか一項に記載のシステム。 
【請求項２３】
前記事象は、物体とのタグの関連付け、前記物体の製造、前記物体の移動、所定の位置での前記物体の出発若しくは到着、又は前記物体の販売若しくは所有の移転のうちの１つ以上に対応することを特徴とする請求項２２に記載のシステム。
【請求項２４】
前記受信器のうちの１つ以上は、固定された地理的位置を有することを特徴とする請求項１乃至２３のいずれか一項に記載のシステム。
【請求項２５】
前記地理的位置は、場所の出入口、場所の支払エリア、場所の受入口若しくは発送口、又は通関手続地のうちの１つ以上から選択されることを特徴とする請求項２４に記載のシステム 。
【請求項２６】
前記受信器のうちの１つ以上は、１つ以上の物体を搬送するように構成された車両と共に、前記搬送される物体のライフサイクルの一部分の間に移動することを特徴とする請求項１乃至２５のいずれか一項に記載のシステム。
【請求項２７】
前記システムは、経時的に前記タグを追跡するコンピュータシステム（４１８）を更に備え、前記コンピュータシステムは、前記物体のうちの１つ以上に関連付けられた人間が、前記物体のうちの前記１つ以上に関連付けられた前記タグの更なる追跡をオプトアウトすることができるように構成されることを特徴とする請求項１乃至２６のいずれか一項に記載のシステム。
【請求項２８】
物体（４０４）を追跡する方法であって、
テレストリアル媒体（２０３、４１０）の上方にある帯電端子を含む誘導表面導波プローブ（Ｐ）で、少なくとも１つの結果として生じる電界を発生させることにより、損失性導電媒体の表面に沿った電磁誘導表面波を生成することであって、前記少なくとも１つの結果として生じる電界は、損失性導電媒体の複素ブルースター入射角（θ(ｉ，Ｂ)）で入射する波面を合成し、前記電磁誘導表面波は対象のエリアにわたって物体識別タグ（４０２）に電力を供給するために十分なエネルギ密度を有する、生成することと、
対象のタグからの帰還信号を複数の受信器（４０８）で受信することであって、前記対象のタグは物体に関連付けられ、前記受信器は前記タグが前記対象のエリア内で前記関連付けられた物体と共に移動することに伴い経時的に異なる、受信することと、
前記タグからの前記受信した応答信号に従って、時間の関数として前記物体が存在していた一連の地理的位置を識別することと、
を含むことを特徴とする方法。